(57)【要約】  本発明は、少なくとも２つの異なる伝送フォーマットに基づいて伝送を多重化するための複数のアクセス・モードを選択的に使用することにより、アップリンクでデータを伝送する方法および装置を提供する。セルラ・システム内の少なくとも１つの移動局と基地局セクタとの間の無線通信の方法は、第１のアクセス・モードに基づいて第１の伝送の第１および第２の構成要素を多重化するための、少なくとも１つの移動局からアップリンクを経て基地局セクタへの第１の伝送用の第１の伝送フォーマットを使用可能にする。この方法は、第２のアクセス・モードに基づいて第２の伝送の第１および第２の構成要素を多重化するための、少なくとも１つの移動局からのアップリンク上の第２の伝送用の、第１の伝送フォーマットとは異なる第２の伝送フォーマットを使用可能にするステップをさらに含む。
2009515385.tif 000002
【特許請求の範囲】
【請求項１】
セルラ・システム内の少なくとも１つの移動局と基地局セクタとの間の無線通信の方法であって、
第１のアクセス・モードに基づいて第１の伝送の第１および第２の構成要素を多重化するための、前記少なくとも１つの移動局から前記基地局セクタへの前記第１の伝送用の第１の伝送フォーマットを使用可能にするステップと、
第２のアクセス・モードに基づいて第２の伝送の第１および第２の構成要素を多重化するための、前記少なくとも１つの移動局からの前記第２の伝送用の、前記第１の伝送フォーマットとは異なる第２の伝送フォーマットを使用可能にするステップと
を含む方法。
【請求項２】
アップリンク上で、前記第１の伝送のパイロット部分およびデータ部分を多重化するための前記第１のアクセス・モードならびに前記第２の伝送のパイロット部分およびデータ部分を多重化するための前記第２のアクセス・モードのうちの少なくとも１つを選択的に使用するステップと、
前記第１の伝送フォーマットに基づいて非直交伝送を提供し、前記第２の伝送フォーマットに基づいて直交伝送を提供するステップと、
前記アップリンク上で、前記第１の伝送の前記パイロット部分および前記データ部分ならびに前記第２の伝送の前記パイロット部分および前記データ部分を時間的に分離するステップと
をさらに含む、請求項１に記載の方法。
【請求項３】
前記第１のアクセス・モードに多重キャリア符号分割多重化を使用し、前記第２のアクセス・モードに、時間スロットまたは時間サブスロットの少なくとも１つで前記パイロット部分および前記データ部分を伝送するための時間および周波数分割多重化を使用するステップと、
多重キャリア符号分割多重接続プロトコルに基づいて前記第１のアクセス・モードで伝送することを選択するステップと、
制御信号を第１のサブスロットで、前記第１の伝送の前記パイロット部分を第２のサブスロットで、および前記第１の伝送の前記データ部分を第３のサブスロットで送信するステップと
をさらに含む、請求項２に記載の方法。
【請求項４】
前記アップリンクにおいて、前記第１の伝送の前記パイロット部分および前記データ部分ならびに第２の伝送の前記パイロット部分および前記データ部分をスペクトル的に分離するステップ
をさらに含む、請求項２に記載の方法。
【請求項５】
時間ドメインおよび周波数ドメインのうちの少なくとも１つにおいて、前記第１および第２の伝送を分離するステップと、
直交周波数分割多重接続プロトコルに基づいて前記第２のアクセス・モードで伝送することを選択するステップと、
前記第２のアクセス・モード用の時間スロットで制御信号および１つ以上のトラフィック記号を伝送するステップと
をさらに含む、請求項２に記載の方法。
【請求項６】
セルラ・システム内の基地局と少なくとも１つの移動局との間の無線通信の方法であって、
前記少なくとも１つの移動局に、非直交伝送フォーマットを使用可能にする第１のアクセス・モードで使用される１つ以上の第１の伝送スロットを割り当て、直交伝送フォーマットを使用可能にする第２のアクセス・モードで使用される１つ以上の第２の伝送スロットを割り当てるステップ
を含む方法。
【請求項７】
前記少なくとも１つの移動局からアップリンクを経て前記基地局へデータを伝送するための前記１つ以上の第１および第２の伝送スロットを割り当てるためのコマンドをダウンリンクで提供するステップと、
前記第１のアクセス・モードに前記１つ以上の第１の伝送スロットのそれぞれを使用することを指示するステップと、
前記第２のアクセス・モードに前記１つ以上の第２の伝送スロットのそれぞれを使用することを指示するステップと
をさらに含む、前記少なくとも１つの移動局に割り当てる、請求項６に記載の方法。
【請求項８】
前記少なくとも１つの移動局が前記第１または第２のアクセス・モードを使用しているかを判断するステップと、
前記第１のアクセス・モードの使用が示されている場合、第１のサブスロットで制御信号を、第２のサブスロットでパイロット部分およびデータ部分を受信するステップと
をさらに含む、請求項６に記載の方法。
【請求項９】
前記少なくとも１つの移動局が前記第２のアクセス・モードが選択されることを示している場合、時間スロット全体の制御信号および１つ以上のトラフィック記号を受信するステップを
さらに含む、請求項８に記載の方法。
【請求項１０】
セルラ・システム内の少なくとも１つの移動局と基地局セクタとの間の無線通信を可能にするためのフレーム・フォーマットであって、
第１のアクセス・モードに基づいて第１の伝送を多重化するための、前記少なくとも１つの移動局からアップリンクを経て前記基地局セクタへの前記第１の伝送用の第１の伝送フォーマットと、
第２のアクセス・モードに基づいて第２の伝送を多重化するための、前記少なくとも１つの移動局からの前記アップリンク上の前記第２の伝送用の、前記第１の伝送フォーマットとは異なる第２の伝送フォーマットと、
前記アップリンクにおいて、前記第１の伝送フォーマットに基づいて非直交伝送を提供し、前記第２の伝送フォーマットに基づいて直交伝送を提供するための前記第１のアクセス・モードを用いて多重化される、前記第１の伝送のパイロット部分およびデータ部分と
を含むフレーム・フォーマット。
【発明の詳細な説明】
【技術分野】
【０００１】
本発明は全般的には遠隔通信に関し、より詳細には無線通信に関する。
【背景技術】
【０００２】
無線通信システムまたは移動体遠隔通信システムは、通常、無線通信装置の様々なユーザまたは加入者に多様なサービスを提供する。その無線通信装置は移動体ユニットまたは固定ユニットでよく、１つ以上の無線ネットワークに渡る地理的地域に置かれていてよい。移動局（ＭＳ）、アクセス端末、またはユーザ機器などの無線通信装置のユーザまたは加入者は、特定の無線ネットワーク内（または外）で絶えず移動する可能性がある。
【０００３】
無線通信システムは、一般的には、移動局との間に無線リンクを確立できる１つ以上の基地局（ＢＳ）を含む。基地局は、ノードＢまたはアクセス・ネットワークと呼ばれることもある。移動局と基地局との間に無線通信リンクを形成するには、移動局が、基地局からブロードキャストされる使用可能なチャネル／キャリアのリストにアクセスする。その目的のために、拡散スペクトル無線通信システムなどの無線通信システムは、複数のユーザが同じ広帯域無線チャネル内で同時に伝送できるようにし、拡散スペクトル技術に基づいて周波数再利用を可能にする。
【０００４】
多くのセルラ・システム、例えば、拡散スペクトル・セルラ・システムは、ＩＳ−９５、ＣＤＭＡ２０００、またはユニバーサル移動体通信システム（ＵＭＴＳ）準拠の広帯域ＣＤＭＡ（ＷＣＤＭＡ）などの符号分割多重接続（ＣＤＭＡ）プロトコルを使用して、所望の規格と矛盾しない無線ネットワーク内でデータを伝送する。拡散スペクトル・セルラ・システムは、一般的に、基地局がダウンリンク（順方向（ＦＬ）リンクとも呼ばれる）でサービスを提供する１つ以上の移動局に関連付けられた伝送を行う。したがって、移動局から単一セクタ（基地局）への伝送はアップリンク（逆方向（ＲＬ）リンクとも呼ばれる）で行うことができる。
【０００５】
セルラ・システム内で無線通信を確立するには、基地局（ＢＳ）が、移動局（ＭＳ）からＢＳへのリンク（逆方向リンク、ＲＬ）でＢＳがサービスを提供している種々の移動局（ＭＳ）の伝送をスケジュールする。この目的のために、基地局は、ＢＳからＭＳへのリンク（順方向リンク、ＦＬ）で移動局へコマンドを送信できる。例えば、特定のセルラ・システムにおいては、移動局は、基地局への逆方向リンク（ＲＬ）で伝送するために、普通は時間スロットと呼ばれる時間単位ベースの無線アクセスを使用できる。時間スロットは、通常、移動局（ＭＳ）と基地局（ＢＳ）の間で（例えば、スロット境界近傍で）擬似同期化される。
【０００６】
同様に、逆方向リンク（ＲＬ）上では、１つ以上の移動局が、例えば、２つの伝送モードでサービス基地局と通信することができる。すなわち、逆方向リンクで通信するとき、移動局の特定のサブセットからサービス基地局への伝送が基地局において相互に干渉し合う場合、それらの移動局は、非直交モードと呼ばれる第１の伝送モードになっている可能性がある。例えば、逆方向リンクで通信するために移動局のサブセットが無線アクセス用にＣＤＭＡまたは多重キャリアＣＤＭＡ（ＭＣ−ＣＤＭＡ）プロトコルを使用すると、移動局のそのサブセットは第１の送信モードになる可能性がある。この場合、移動局のサブセットからサービス基地局への伝送は、非直交符号を使用している間は同じ周波数帯域で行われる。その結果、伝送は相互に直交することができず、したがって、基地局において相互に干渉し合う。移動局が非直交モードで伝送する場合、この状態はパイロット（復調用またはシンク推定用に使用される）チャネルまたはベアラ／トラフィック用チャネルのどちらかに、またはその両方のチャネルに適用される可能性がある。
【０００７】
しかし、逆方向リンク上の移動局のサブセットからの伝送が、サービス基地局で相互に干渉しないようなものであれば、そのサブセットの移動局は第２の伝送モードであると見なされる。第２の伝送モードでは、このサブセットの移動局は直交モードであると言われる。例えば、そのような直交モードは、移動局のサブセットについて、そのサブセットの移動局が無線アクセス技術として直交周波数分割多重（ＯＦＤＭ）方式を使用して逆方向リンク上で通信する場合に生じ得る。この場合には、基地局のサービスを受けている、このサブセットの移動局からの伝送は異なる無線周波数で行われ、相互に直交する。その結果、第２の伝送モードでの伝送は基地局で相互に干渉し合わない。この場合にも、非直交モードでの状態と同様に、このシナリオは、移動局が直交モードで伝送しているとき、パイロット・チャネルまたはベアラ／トラフィック用チャネルのどちらかに、またはその両方のチャネルに適用される可能性がある。順方向リンクで１つ以上のメッセージを送信することにより、基地局（ＢＳ）は、２つの制御モードでの移動局伝送を制御することができる。
【０００８】
ＭＣ−ＣＤＭＡモードで動作している間、移動局（ＭＳ）は、周波数ドメイン内の拡散など、種々のタイプの拡散技術を使用できる。ただし、セルラ・システム内の移動局は、ＭＳからＢＳへの（逆方向リンク、ＲＬ）リンク伝送でＭＣ−ＣＤＭＡモードを使用する。
【０００９】
セルラ・システムにおいて、移動局（ＭＳ）は、多種多様なアクセス技術を使用してＭＳからＢＳへの（逆方向リンク、ＲＬ）リンク伝送を可能にすることができる。異なるアクセス技術を使用して、複数の移動局はデータ信号を基地局セクタへ伝送することができる。これらの複数の移動局は、１つの基地局に関連付けられた同じセル・セクタ内にあってよい。しかし、複数の移動局によって同時に伝送されるデータ・ビットは、一般的に、基地局で受信されるデータ信号間に重大な干渉を引き起こす。したがって、逆方向リンク上で複数のアクセス技術を使用すると、干渉が起こり、セルラ・システムのシステム・パフォーマンスが著しく低下する。例えば、受け入れられないレベルのデータ・パケット伝送は、逆方向リンクの総計スループットに重大な影響を与える可能性がある。
【発明の開示】
【発明が解決しようとする課題】
【００１０】
以下で、本発明のいくかの態様の基本的な理解を促すために、本発明の簡単な概要を説明する。この概要は、本発明の包括的な概説ではない。また、本発明のキーまたは重要な要素を特定することも、本発明の範囲を概説することも意図されていない。その唯一の目的は、後述される、より詳細な説明の序文として、簡略な形で多少の概念を提示することである。
【００１１】
本発明は、上述された問題の１つ以上の影響の克服、または少なくとも低減に関するものである。
【課題を解決するための手段】
【００１２】
本発明の１つの実施形態において、セルラ・システム内の少なくとも１つの移動局と基地局セクタとの間の無線通信のための方法が提供されている。この方法は、第１のアクセス・モードに基づいて第１の伝送の第１および第２の構成要素を多重化するための、基地局セクタへの、少なくとも１つの移動局の第１の伝送用の第１の伝送フォーマットを使用可能にするステップを含む。この方法は、第２のアクセス・モードに基づいて第２の伝送の第１および第２の構成要素を多重化するための、少なくとも１つの移動局からの第２の伝送用の、第１の伝送フォーマットとは異なる第２の伝送フォーマットを使用可能にするステップをさらに含む。
【００１３】
本発明の別の実施形態において、セルラ・システム内の基地局と少なくとも１つの移動局との間の無線通信のための方法が提供されている。この方法は、少なくとも１つの移動局に、非直交伝送フォーマットを使用可能にする第１のアクセス・モードで使用される１つ以上の第１の伝送スロットを割り当て、直交伝送フォーマットを使用可能にする第２のアクセス・モードで使用される１つ以上の第２の伝送スロットを割り当てるステップを含む。
【００１４】
本発明のさらに別の実施形態において、セルラ・システム内の少なくとも１つの移動局と基地局セクタとの間の無線通信を可能にするためのフレーム・フォーマットが提供されている。このフレーム・フォーマットは、第１のアクセス・モードに基づいて第１の伝送を多重化するための、少なくとも１つの移動局からアップリンクを経て基地局への第１の伝送用の第１の伝送フォーマットを含む。このフレーム・フォーマットは、第２のアクセス・モードに基づいて第２の伝送を多重化するための、少なくとも１つの移動局からのアップリンク上の第２の伝送用の、第１の伝送フォーマットとは異なる第２の伝送フォーマットをさらに含む。
【００１５】
本発明は、添付の図面と関連付けて記載される以下の説明を参照することにより理解できるであろう。この説明の中では、同じ参照番号は同じ要素を識別する。
【００１６】
本発明は、種々の修正および代替形態が可能であるが、本発明の具体的な実施形態を図面に例示の目的で示し、本明細書において詳細に説明する。ただし、本明細書における具体的な実施形態の説明は、本発明を、開示された特定の形に限定するようには意図されておらず、それどころか、意図するところは、添付の特許請求の範囲で定義された本発明の精神および範囲内に入るすべての修正、均等物、および代替形態を包含することであることを理解されたい。
【発明を実施するための最良の形態】
【００１７】
本発明の実施形態の例を以下で説明する。明瞭にするために、本明細書では、実際の実施態様のすべての特徴は説明しない。当然ながら、そのような実際の実施形態の開発において、実施態様ごとに異なるシステム関連および業務関連の制約を順守するなど、開発者の特定の目標を達成するために多くの実施態様固有の決定を行えることが理解されよう。さらに、そのような開発の努力は複雑で時間を消費するかもしれないが、それにもかかわらず、本開示の利益を得る当業者にはルーチン作業になる可能性があることを理解されたい。
【００１８】
大ざっぱに言えば、少なくとも２つの異なる伝送フォーマットに基づいて伝送を多重化するための複数のアクセス・モードを選択的に使用することにより、アップリンクでデータを伝送する方法および装置が提供される。セルラ・システム内の少なくとも１つの移動局と基地局セクタとの間の無線通信の方法は、第１のアクセス・モードに基づいて第１の伝送の第１および第２の構成要素を多重化するための、少なくとも１つの移動局からアップリンクを経て基地局セクタへの第１の伝送用の第１の伝送フォーマットを使用可能にする。この方法は、第２のアクセス・モードに基づいて第２の伝送の第１および第２の構成要素を多重化するための、少なくとも１つの移動局からのアップリンク上の第２の伝送用の、第１の伝送フォーマットとは異なる第２の伝送フォーマットを使用可能にするステップをさらに含む。しかし、そのアップリンク中で複数の移動局が伝送できる同じスロット中で、異なる移動局は異なる伝送フォーマットを使用することができる。拡散スペクトル・セルラ・システムでは、基地局セクタは、少なくとも１つの移動局に、第１のアクセス・モード、例えば、非直交伝送フォーマットを使用可能にする多重キャリア符号分割多重接続（ＭＣ−ＣＤＭＡ）で使用される１つ以上の第１の伝送スロットを割り当て、第２のアクセス・モード、例えば、直交伝送フォーマットを使用可能にする直交周波数分割多重接続（ＯＦＤＭＡ）で使用される１つ以上の第２の伝送スロットを割り当てることができる。ダウンリンク上のコマンドに応答して、移動局は、少なくとも２つのキャリアを使用してアップリンクで直交および／または非直交伝送フォーマットでデータを伝送することができる。時間および周波数分割多重方式または符号分割多重方式を選択的に使用することにより、移動局は干渉を低減できる。あるいは、基地局セクタに同時にデータを伝送する複数の移動局に関連する干渉を最小にできる。干渉が低減されると、アップリンクの総計スループットが向上する可能性がある。
【００１９】
図１を参照すると、拡散スペクトル・セルラ・システム１００は、それぞれが１つ以上のセル・セクタに関連付けられた基地局（ＢＳ）１１０（１〜ｋ）のセット、および本発明の１つの実施形態の例に従って、少なくとも２つの異なる伝送フォーマットに基づいて伝送１２５を多重化するための複数のアクセス・モードを使用できる複数の移動局（ＭＳ）１１５（１〜ｍ）を含むことが図示されている。少なくとも１つの移動局１１５（１）が、アップリンク１２０で、少なくとも２つのキャリアを使用して、セル・セクタ、すなわち、基地局セクタ１１０（１）に関連付けられた基地局へデータを伝送することができる。基地局１１０（１〜ｋ）のセットは、任意の所望のプロトコルに従った、移動局１１５（１）との無線接続を提供することができる。プロトコルの例には、符号分割多重接続（ＣＤＭＡ、ＣＤＭＡ２０００）プロトコル、多重キャリアＣＤＭＡ（ＭＣＣＤＭＡ）、直交周波数分割多重接続（ＯＦＤＭＡ）プロトコル、広帯域ＣＤＭＡ（ＷＣＤＭＡ）プロトコル、ユニバーサル移動体通信システム（ＵＭＴＳ）プロトコル、移動体通信用グローバルシステム（ＧＳＭ）プロトコルなどがある。
【００２０】
移動局１１５（１〜ｍ）の例には、セルラ電話、パーソナル・デジタル・アシスタント（ＰＤＡ）、およびデジタル・セルラＣＤＭＡネットワークなどの高速無線データ・ネットワークで稼働するための拡散スペクタル・セルラ・システム１００を使用する全地球測位システム（ＧＰＳ）など、しかし、それらに限定されるわけではない無線通信装置のホストがある。移動局１１５（１〜ｍ）の他の例として、スマートホン、テキスト・メッセージ装置などがある。
【００２１】
拡散スペクトル・セルラ・システム１００において、基地局１１０（１〜ｋ）のセットと各移動局１１５（１〜ｍ）との間でメッセージを伝達する移動体通信は、符号分割多重接続（ＣＤＭＡ）プロトコルを使用する無線周波数（ＲＦ）中間チャネルなどの無線チャネル１３５を介して空気インターフェース上で行われる。図示されていないが、無線チャネル１３５は、移動局１１５（１〜ｍ）と基地局１１０（１〜ｋ）との間の無線通信を促す中間装置を含んでよい。例えば、無線チャネル１３５は、様々な中継器、アンテナ、ルータ、および無線通信を提供できる任意の所望の通信構成要素またはネットワーク構成要素を使用することができる。各移動局１１５（１〜ｍ）は、無線チャネル１３５上で、アップリンク（逆方向リンク）１２０を使用する基地局１１０（１〜ｋ）のセットとさらに通信することができる。
【００２２】
無線ネットワーク・コントローラ１３０は、ユーザが１つの基地局１１０（１）の担当域を離れて別の基地局１１０（ｋ）に入るときの移動体通信のハンドオーバを調整することができる。すなわち、移動体通信のハンドオーバは、移動局１１５（１）については、通信の担当が基地局セクタ１１０（１）のサービスを受けている第１のセル・セクタから、別の基地局セクタ１１０（ｋ）のサービスを受けている第２のセル・セクタへ切り換わるときに発生する。
【００２３】
本発明の１つの実施形態の例によると、拡散スペクトル・セルラ・システム１００は、両方の基地局に接続されたフレーム選択ユニット（ＦＳＵ）を備えることができ、基地局セクタ１１０（１）および１１０（ｋ）で受信されたフレームを比較して、良いほうのフレームを識別することができる。これにより、基地局１１０（１〜ｋ）のセットのうちの２つ（または２つ以上）の基地局が移動局１１５（１〜ｍ）をシームレスにサポートすることが可能になる。
【００２４】
異なる基地局１１０（１〜ｋ）と通信するために、移動局１１５（１）は受信機（ＲＸ）１４２および送信機（ＴＸ）１４５を備えることができる。受信機１４２が基地局１１０（１〜ｋ）のセットからのパケット・データの伝送を受信している間、送信機１４５は、伝送１２５でパケット・データを送信することができる。伝送１２５は、基地局セクタ１１０（１）へのパケット・データを含んでいてよい。
【００２５】
基地局セクタ１１０（１）は、本発明の１つの実施形態において、受信機（ＲＸ）１５０および送信機（ＴＸ）１５５を備えることができる。受信機１５０が移動局１１５（１〜ｍ）からのパケット・データの伝送を受信している間、送信機１５５は、基地局１１０（１）がアップリンク１２０で移動局１１５（１）にサービスを提供する場合、パケット・データおよび信号メッセージを送信できる。１つの実施形態において、移動局１１５（１）は、アップリンク１２０で通信するために、符号分割多重接続（ＣＤＭＡ）プロトコルまたは多重キャリアＣＤＭＡ（ＭＣ−ＣＤＭＡ）無線アクセス技術を使用できる。
【００２６】
本発明の１つの実施形態に従うと、移動局１１５（１）は、拡散スペクトル無線セルラ・システム１００において、異なる伝送フォーマットと組み合わせて複数のアクセス・モードを選択的に使用することによりアップリンク１２０でデータを伝送できる。例えば、送信機１４５は、基地局セクタ１１０（１）へのアップリンク１２０での伝送１２５で少なくとも２つのキャリアを使用することができる。拡散スペクトル・セルラ・システム１００で複数のキャリアをそのように使用する１つの例として、多重キャリア／符号分割多重接続（ＭＣ−ＣＤＭＡ）プロトコルがある。
【００２７】
移動局１１５（１）から、セル・セクタに関連付けられた基地局、すなわち、基地局セクタ１１０（１）にアップリンク１２０でデータを伝送する場合、送信機１４５は第１の伝送フォーマット１６０（１）および第２の伝送フォーマット１６０（２）を使用可能にできる。送信機１４５は、第１の伝送フォーマット１６０（１）とは異なる第２の伝送フォーマット１６０（２）を提供できる。すなわち、伝送（ＴＸ）１２５を多重化するために、移動局１１５（１）の場合、送信機１４５は、第１のアクセス・モード１６５（１）および第２のアクセス・モード１６５（２）を含む複数のアクセス・モードを提供できる。移動局１１５（１）の場合、第１の伝送フォーマット１６０（１）は、第１のアクセス・モード１６５（１）に基づいて、アップリンク１２０での第１の伝送１２５（１）の多重化を可能にすることができる。同様に、第２の伝送フォーマット１６０（２）は、第２のアクセス・モード１６５（２）に基づいて、アップリンク１２０での第２の伝送１２５（２）の多重化を可能にすることができる。
【００２８】
時間および周波数分割多重方式または符号分割多重方式を使用することにより、移動局１１５（１）は、第１のアクセス・モード１６５（１）と第２のアクセス・モード１６５（２）との間で伝送のモードを選択できる。アップリンク１２０での伝送１２５の所望の多重化を可能にするために、移動局１１５（１）は、第１の伝送フォーマット１６０（１）と第２の伝送フォーマット１６０（２）との間で特定の伝送フォーマットを決定することができる。
【００２９】
送信機１４５は、時間、周波数、空間ドメイン、またはそれらの組合せについて、第１および第２の伝送１２５（１、２）（これらは、同じユーザに関連付けられていてもよいし、異なるユーザに関連付けられていてもよい）を分離できる。同じユーザの場合、送信機１４５は、アップリンク１２０上で、第１の伝送１２５（１）のパイロット部分およびデータ部分を多重化するための第１のアクセス・モード１６５（１）または第２の伝送１２５（２）のパイロット部分およびデータ部分を多重化するための第２のアクセス・モード１６５（２）を選択的に使用できる。異なるユーザの場合、送信機１４５は、第１または第１のアクセス・モード１６５（１、２）に基づいて移動局１１５（１）からの第１の伝送１２５（１）の多重化を使用可能にし、第１または第２のアクセス・モード１６５（１、２）に基づいて移動局１１５（ｍ）からの第２の伝送１２５（２）の多重化を使用可能にすることができる。
【００３０】
１つの実施形態では、移動局１１５（１）は、第１のアクセス・モード１６５（１）に多重キャリア符号分割多重接続（ＭＣ−ＣＤＭＡ）プロトコルを使用できる。第２のアクセス・モード１６５（２）については、移動局１１５（１）の送信機１４５は、第２の伝送１２５（２）を多重化するために直交周波数分割多重接続（ＯＦＤＭＡ）プロトコルをデプロイできる。
【００３１】
第１のアクセス・モード１６５（１）用の第１の伝送フォーマット１６０（１）に基づいて、１つの実施形態では、送信機１４５は、基地局セクタ１１０（１）へのアップリンク１２０で非直交モードの伝送を提供することができる。同様に、第２のアクセス・モード１６５（２）用の第２の伝送フォーマット１６０（２）を使用して、移動局１１５（１）の送信機１４５は、アップリンク１２０で直交モードの伝送を提供できる。
【００３２】
非直交モードの伝送の１つの例として、多重キャリア符号分割多重方式に基づく伝送が考えられる。同様に、直交モードの伝送の１つの例は、直交周波数分割多重接続プロトコル（ＯＦＤＭＡ）などの時間および周波数分割多重方式に基づく。直交モードの伝送では、移動局１１５（１）は、複数の移動局１１５（１〜ｍ）が同時にデータ・ビットを送信している可能性がある基地局セクタ１１０（１）で干渉を引き起こすことを回避できる。すなわち、直交モードの伝送では、移動局１１５（１）は、基地局セクタ１１０（１）の受信機１５０で受信された信号間のセル内相互干渉を引き起こさない可能性がある。
【００３３】
送信機１４５は、移動局１１５（１）用の基地局セクタ１１０（１）に関連付けられていない基準を、基地局セクタ１１０（１）での第１および第２のアクセス・モード１６５（１、２）からの干渉がその干渉の所定の閾値未満に留まることができるように定義することができる。送信機１４５は、この基準を使用して、移動局１１５（１）に第１および第２の伝送フォーマット１６０（１、２）の間で特定の伝送フォーマットを選択させることができる。つまり、移動局１１５（１）は、直交モードで伝送するか、非直交モードで伝送するかを、送信機１４５で提供された基準に基づいて選択できる。
【００３４】
１つの実施形態では、移動局１１５（１）は、他の移動局１１５（２〜ｍ）が同時に伝送している可能性があるアップリンク１２０で伝送するために、異なる多重方式および伝送スロット構造を使用できる。拡散スペクトル・セルラ・システム１００内で時間または分割多重化を用いてアップリンク１２０で直交モードの伝送および／または非直交モードの伝送を提供するために、移動局１１５（１）の送信機１４５は、スロット構造１７０を使用可能にすることができる。スロット構造１７０は、複数のスロット１７２を含んでよい。スロット構造１７０の１つの例は、移動局１１５（１）からアップリンク１２０を経て基地局セクタ１１０（１）へデータを伝送するには、チャネルでフレームを使用することが基礎になる。
【００３５】
このように、時間／周波数分割多重方式または符号分割多重方式を選択的に使用することにより、移動局１１５（１）は干渉を低減できる。あるいは、基地局セクタ１１０（１）に同時にデータを伝送する複数の移動局に関連する干渉を最小にできる。干渉が最小になると、例えば、移動局１１５（１）はアップリンク１２０の総計スループットを向上させることができる。
【００３６】
各移動局１１５は、伝送１２５でデータ・パケットなどのトラフィック・パケットを伝送することができる。多くの場合、トラフィック・パケットは、移動局１１５の特定のユーザ用に意図された情報を含む。例えば、トラフィック・パケットは、音声情報、画像、映像、インターネット・サイトから要求されたデータなどを含むことができる。基地局セクタ１１０（１）から、移動局１１５（１）は、構成メッセージ、セットアップ命令、切替え命令、ハンドオフ命令なども受信することができる。
【００３７】
拡散スペクトル・セルラ・システム１００において、無線データ・ネットワークは、基地局１１０（１〜ｋ）と移動局１１５（１〜ｍ）との間に任意の所望のプロトコルに従った無線通信を使用可能にするために、任意の所望のプロトコルをデプロイすることができる。そのようなプロトコルの例として、ＣＤＭＡプロトコル、ＷＣＤＭＡプロトコル、ＵＭＴＳプロトコル、ＧＳＭプロトコルなどがある。移動局１１５（１）のユーザがセルラ・ネットワークなどのネットワークでパケット・データを伝達できるようにするために、無線ネットワーク・コントローラ（ＲＮＣ）１３０を基地局セクタ１１０（１）および１１０（ｋ）に結合してもよい。セルラ・ネットワークの１つの例として、第３世代（３Ｇ）パートナーシップ・プロジェクト（３ＧＰＰ）仕様で指定されるような、ＣＤＭＡプロトコルに基づいたデジタル・セルラ・ネットワークがある。
【００３８】
そのようなプロトコルの他の例として、ＷＣＭＤＡプロトコル、ＵＭＴＳプロトコル、ＧＳＭプロトコルなどがある。無線ネットワーク・コントローラ１３０は、移動局１１５（１〜ｍ）と基地局１１０（１〜ｋ）との間の無線通信の交換を本発明の例示した１つの実施形態に従って管理することができる。図１には２つの基地局１１０（１〜ｋ）および１つの無線ネットワーク・コントローラ１３０が示されているが、本開示の受益者である当業者は、基地局１１０および無線ネットワーク・コントローラ１３０を所望の任意の数だけ使用できることを理解されたい。
【００３９】
基地局１１０（１〜ｋ）（ノードＢと呼ばれることもある）は、無線データ・ネットワーク内の関連の地理的地域との接続を提供することができる。当業者は、そのような無線データ・ネットワークの部分は、ハードウェア、ソフトウェア、またはそれらの組合せを用いて他の構成要素を組み込むように種々の方法で適切に実装できることを理解されたい。無線データ・ネットワークは当業者には周知なので、本明細書では、明瞭にするために、無線データ・ネットワークの、本発明に関する態様のみを説明する。
【００４０】
１つの実施形態によると、各移動局１１５は、第１および第２の基地局セクタ１１０（１、ｋ）に結合された無線ネットワーク・コントローラ１３０を介して、アップリンク１２０上でアクティブ基地局１１０と通信できる。各移動局１１５はアップリンク１２０を介してアクティブ基地局と通信することができて、各アクティブ基地局は一般的にサービス基地局またはサービス・セクタと呼ばれる。第３世代パートナーシップ・プロジェクト（３ＧＰＰ２）規格は、サービス基地局またはサービス・セクタおよびサービス無線ネットワーク・コントローラの役割を３ＧＰＰ２仕様に基づいて定義する。
【００４１】
１つの実施形態に従うと、アップリンク１２０およびダウンリンク１４０は複数のチャネルで確立できる。トラフィック・チャネルおよび制御チャネルなどのチャネルは、個別のチャネル周波数を関連付けられることができる。例えば、チャネル番号および周波数を関連付けられたＣＤＭＡチャネルが高速パケット・データの伝送用の無線通信リンクを形成できる。ダウンリンク１４０では、例えば、移動局１１５（１〜ｍ）は、順方向トラフィック・チャネルまたは順方向制御チャネルで伝送を受信するための基地局１１０（１）のデータ転送速度を更新することができる。トラフィック・チャネルはユーザ・データ・パケットを搬送する。制御チャネルは制御メッセージを搬送し、ユーザ・トラフィックも搬送できる。ダウンリンク１４０は、逆方向パワー制御（ＲＰＣ）チャネル、データ転送速度制御ロック（ＤＲＣＬｏｃｋ）チャネル、ＡＣＫチャネル、および逆方向アクティビティ（ＲＡ）チャネルを備えた４つのサブチャネルを含む順方向ＭＡＣチャネルを使用してよい。
【００４２】
アップリンク１２０では、移動局１１５（１）はアクセス・チャネルまたはトラフィック・チャネルで伝送できる。アクセス・チャネルはパイロット・チャネルおよびデータ・チャネルを含む。トラフィック・チャネルはパイロット・チャネル、ＭＡＣチャネル、およびデータ・チャネルを含む。ＭＡＣチャネルは、データ・チャネルが逆方向トラフィック・チャネルで伝送されているかどうか、およびデータ転送速度を示すために用いられる逆方向転送速度表示（ＲＲＩ）サブチャネルを含む４つのサブチャネルを有する。別のサブチャネルは、移動局１１５（１）が、順方向トラフィック・チャネルが最善のサービス・セクタでサポートしてよいデータ転送速度を第１基地局セクタ１１０（１）に示すために用いるデータ転送速度制御（ＤＲＣ）である。受信通知（ＡＣＫ）サブチャネルは、移動局１１５（１）によって、順方向トラフィック・チャネルで伝送されたデータ・パケットが正常に受信されたかどうかを基地局セクタ１１０（１）に知らせるために用いられる。データ・ソース制御（ＤＳＣ）サブチャネルは、基地局セクタのうちのどれが順方向リンク・データを送信しているはずであるかを示すために用いられる。
【００４３】
別の実施形態では、移動局１１５（１）はパケット・データの伝送１２５を、図１に示されているように、基地局１１０（１〜ｋ）のセットのうちの１つ以上の基地局に関連付けられた少なくとも２つのセル・セクタに提供することができる。１つの実施形態では、拡散スペクトル・セルラ・システム１００はセルラ・ネットワークに基づいていてよく、そのセルラ・ネットワークは、少なくとも部分的に、ユニバーサル移動体通信システム（ＵＭＴＳ）規格に基づいていてよい。セルラ・ネットワークは、ＵＭＴＳ、ＣＤＭＡ２０００などのプロトコルのいずれか１つを採用した２Ｇ、３Ｇ、または４Ｇ規格のいずれか１つに関連付けられることができるが、特定の規格または特定のプロトコルの使用は設計上の選択の問題であって、本発明には必ずしも重要ではない。
【００４４】
１つの実施形態によると、従来のオープン・システム・インターコネクション（ＯＳＩ）モデルは、移動局１１５（１）と基地局１１０（１〜ｋ）のセットとの間でパケット・データ、およびメッセージ、パケット、データグラム、フレームなどの他のデータの伝送を可能にすることができる。用語「パケット・データ」には、情報、または所望の方法で配置されたメディア・コンテンツを含むことができる。パケット・データは、無線リンク・プロトコル（ＲＬＰ）フレーム、信号リンク・プロトコル（ＳＬＰ）フレーム、または任意の他の所望のフォーマットなど、しかしそれらに限定されるわけではないフレームとして送信することができる。パケット・データの例としては、音声、映像、信号、メディア・コンテンツ、または特定の用途に基づいた任意の他のタイプの情報を表すペイロード・データ・パケットがある。
【００４５】
図２は、複数のアクセス・モードに基づいて伝送１２５を多重化するための、移動局１１５（１）からアップリンク１２０を経て基地局セクタ１１０（１）への第１および第２の伝送１２５（１、２）用の２種類の伝送フォーマットを使用可能にするフレーム・フォーマット２００の１つの実施形態の例を概略的に示している。フレーム・フォーマット２００は、移動局１１５（１）などの少なくとも１つの移動局と、図１に示された拡散スペクトル・セルラ・システム１００内のセルに関連付けられた基地局セクタ１１０（１）との間の無線通信を可能にすることができる。フレーム・フォーマット２００は、少なくとも１つの移動局１１５（１）に関連付けられた第１の伝送１２５（１）を提供するための第１の伝送フォーマット１６０（１）を有することができる。基地局セクタ１１０（１）へのアップリンク１２０では、移動局１１５（１）は、第１のアクセス・モード１６５（１）に基づいて第１の伝送１２５（１）を多重化することができる。フレーム・フォーマット２００は、第１の伝送フォーマット１６０（１）とは別の第２の伝送フォーマット１６０（２）をさらに有することができる。第２の伝送フォーマット１６０（２）は、第２のアクセス・モード１６５（２）に基づいて第２の伝送１２５（２）を多重化することにより、移動局１１５（１）からのアップリンク１２０で第２の伝送１２５（２）を提供できる。
【００４６】
第１の伝送１２５（１）はパイロット部分およびデータ部分を含むことができ、送信機１４５は、第１のアクセス・モード１６５（１）を使用してパイロット部分およびデータ部分を多重化することができる。このようにして、移動局１１５（１）は、アップリンク１２０上で、第１の伝送フォーマット１６０（１）の非直交伝送を提供できる。第２の伝送１２５（２）もパイロット部分およびデータ部分を含むことができ、そのパイロット部分およびデータ部分は、第２のアクセス・モード１６５（２）を使用してアップリンク１２０で多重化されることができ、第２の伝送フォーマット１６０（２）の直交伝送を提供することができる。
【００４７】
フレーム２００（ｎ）は、第１のアクセス・モード１６５（１）には多重キャリア符号分割多重方式を用いて、第２のアクセス・モード１６５（２）には時間および周波数分割多重方式を用いて、パイロット部分およびデータ部分を伝送するための複数の時間スロット１７２（１〜１６）を有することができる。送信機１４５は、第１の伝送１２５（１）のパイロット部分およびデータ部分ならびに第２の伝送１２５（２）のパイロット部分およびデータ部分をアップリンク１２０の一時ドメイン、スペクトル・ドメイン、および／または空間ドメイン内で分離することができる。時間スロット１７２（２）内で、例えば、第１の伝送１２５（１）のパイロット部分およびデータ部分ならびに第２の伝送１２５（２）のパイロット部分およびデータ部分を一時ドメイン、スペクトル・ドメイン、および／または空間ドメインで伝送するために、送信機１４５は、アップリンク１２０で時間サブスロット２０５（１〜５）を使用できる。第２の伝送モードの場合、サブスロットＤおよびＥ、すなわち、２０５（２）および２０５（４）の時、伝送をゲートオフすることができる。
【００４８】
本発明の１つの実施形態の例に従って、図３に、図１で示された拡散スペクトル・セルラ・システム１００内の移動局１１５（１〜ｍ）に関連付けられたアップリンク１２０でデータを伝送する方法を実施する説明が、図２に示されたフレーム・フォーマット２００に基づいて様式化されて示されている。ブロック３００において、送信機１４５は、アップリンク１２０の第１の伝送１２５（１）用に第１の伝送フォーマット１６０（１）を使用可能にすることができる。同様に、ブロック３０５において、移動局１１５（１）は、アップリンク１２０の第２の伝送１２５（２）用に第２の伝送フォーマット１６０（２）を使用可能にすることができる。
【００４９】
判断ブロック３１０は、移動局１１５（１）で伝送１２５を多重化するために第１または第２のアクセス・モード１６５（１、２）を使用すべきかどうかを判断することができる。移動局１１５（１）によって第１のアクセス・モード１６５（１）の使用が選択されると、ブロック３１５で、送信機１４５は第１の伝送１２５（１）のパイロット部分およびデータ部分を多重化できる。そうでなく、第２のアクセス・モード１６５（２）の使用が判断ブロック３１０で示されると、第２の伝送１２５（２）のパイロット部分およびデータ部分がブロック３２０で多重化できる。
【００５０】
第１の伝送フォーマット１６０（１）を使用して、ブロック３２５で、送信機１４５は第１のアクセス・モード１６５（１）に基づいて非直交伝送を提供する。第２のアクセス・モード１６５（２）の場合、送信機１４５は、ブロック３３０に示されているように、第２の伝送フォーマット１６０（２）を用いて直交伝送を提供することができる。判断ブロック３３５は、非直交伝送および直交伝送を時間的に、スペクトル的に、または空間的に分離するかどうかを示すことができる。判断ブロック３３５で直交伝送および非直交伝送について示された分離のタイプに基づいて、ブロック３４０で、送信機１４５は、アップリンク１２０で第１の伝送１２５（１）および第２の伝送１２５（２）を伝送することができる。
【００５１】
図４に進むと、本発明の１つの実施形態の例に従って、直交および／または非直交モードの伝送でデータを伝送する方法を実施する説明が、ダウンリンク１４０でのコマンド１７５に応答するアップリンク１２０について様式化されて示されている。ブロック４００において、基地局セクタ１１０（１）は、スロット構造１７０内に１つ以上の第１の伝送スロットを第１のアクセス・モード１６５（１）で使用されるように割り当てることができ、第１のアクセス・モード１６５（１）は非直交伝送フォーマット、すなわち、第１の伝送フォーマット１６０（１）を使用可能にする。直交伝送フォーマット、すなわち、第２の伝送フォーマット１６０（２）を使用可能にするには、基地局セクタ１１０（１）は、ブロック４０５に示されているように、スロット構造１７０内の１つ以上の第２の伝送スロットを第２のアクセス・モード１６５（２）で使用されるように割り当てることができる。
【００５２】
スロット構造１７０内の第１および第２の伝送スロットを割り当てるために、基地局セクタ１１０（１）は、ブロック４１０に示されているように、ダウンリンク（順方向リンクとも呼ばれる）１４０でコマンド１７５を提供することができる。コマンド１７５は、１つ以上の第１の伝送スロットのそれぞれを第１のアクセス・モード１６５（１）のみに使用すること、および１つ以上の第２の伝送スロットのそれぞれを第２のアクセス・モード１６５（２）のみに使用することを指示できる。コマンド１７５の１つの例として、第２の伝送スロット内で直交および／または非直交伝送フォーマットの使用を示すコマンド・ビットがある。
【００５３】
基地局セクタ１１０（１）などのセル・セクタに関連付けられた基地局の受信機１５０は、移動局１１５（１）が第１または第２または両方のアクセス・モード１６５（１）、１６５（２）を使用しているかを判断することができる。第１のアクセス・モード１６５（１）の使用が示されている場合、基地局セクタ１１０（１）の受信機１５０は、第１のサブスロットで制御信号を、第２のサブスロットでデータ部分とともにパイロット部分を受信できる。そうでなく、移動局１１５（１）が、アップリンク１２０上の第２の伝送１２５（２）用に第２のアクセス・モード１６５（２）が選択されていることを示している場合、受信機１５０は、時間スロット１７２全体で制御信号および１つ以上のトラフィック記号を受信できる。このようにして、スロット構造１７０は、アップリンク１２０で第１および第２の伝送スロットを転送するための第１および第２のアクセス・モード１６５（１、２）に基づいて多重化の使用を可能にできる。
【００５４】
最後に図５を参照すると、本発明の１つの実施形態の例に従って非直交伝送または直交伝送を提供する伝送１２５のパイロット部分およびデータ部分を多重化するための第１および第２のアクセス・モード１６５（１、２）の少なくとも１つを選択的に使用する方法を実施する説明が様式化されて示されている。ブロック５００において、移動局１１５（１）は、基地局セクタ１１０（１）からの順方向リンク（ダウンリンク）１４０を介してコマンド１７５のコマンド・ビットを受信できる。このコマンド・ビットを使用することにより、基地局セクタ１１０（１）は、移動局１１５（１）に、第１のアクセス・モード１６５（１）には第１の伝送スロットを使用すること、および第２のアクセス・モード１６５（２）には第２の伝送スロットの使用することを指定することができる。
【００５５】
判断ブロック５０５における検査は、移動局１１５（１）が、第１の伝送スロットで第１のアクセス・モード１６５（１）を使用するように指示されているかを判断することができる。判断ブロック５０５では、移動局によって第１の伝送スロットの使用が選択されている場合、送信機１４５は、ブロック５１０で、移動局１１５（１）が第１のアクセス・モード１６５（１）に第１の伝送スロットを使用するようにできる。ブロック５１５では、判断ブロック５１５における検査は、第２のアクセス・モード１６５（２）には第２の伝送スロットを使用することを確かめることができる。ブロック５００で受信されたコマンド・ビットに応答して第２のアクセス・モード１６５（２）が移動局１１５（１）によって選択されることになっている場合、送信機１４５は、ブロック５２０で、移動局１１５（１）が第２のアクセス・モード１６５（２）に第２の伝送スロットを使用するようにできる。
【００５６】
本発明の一部の実施形態によると、ブロック５００で受信された、順方向リンク（ダウンリンク）１４０上のコマンド１７５内の１つ以上のビットは、同じスロットで非直交伝送および直交伝送の両方のモードの使用を指示することができる。移動局１１５（１）に両方のモード、すなわち、第１および第２のアクセス・モード１６５（１、２）の使用が指示されている場合、ブロック５３０で、送信機１４５は、第１および第２のフォーマット１６０（１、２）に対して、それぞれ、第１および第２のアクセス・モード１６５（１、２）を使用することにより、パイロットおよびデータの多重化を可能する。
【００５７】
しかし、アップリンク１２０において、同じ移動局１１５（１）に対して、または別の移動局１１５（ｍ）にまたがって符号多重化又は時間および周波数分割多重化を適用することができる。送信機１４５は、アップリンク１２０上で、第１の伝送１２５（１）のパイロット部分およびデータ部分ならびに第２の伝送１２５（２）のパイロット部分およびデータ部分を時間的に分離することができる。第１のアクセス・モード１６５（１）に多重キャリア符号分割多重化を使用し、第２のアクセス・モード１６５（２）に時間および周波数分割多重化を使用することにより、同じ移動局１１５（１）または２つの移動局１１５（１、ｍ）が、時間スロットまたは時間サブスロットの少なくとも１つでパイロット部分およびデータ部分を伝送することができる。
【００５８】
第１のアクセス・モード１６５（１）をＭＣ−ＣＤＭＡモードで使用して伝送することと選択すると、移動局１１５（１）は、第１のサブスロットで制御信号を、第２のサブスロットで第１の伝送１２５（１）のパイロット部分を、第３のサブスロットで第１の伝送１２５（１）のデータ部分を送信することができる。アップリンク１２０で第１の伝送１２５（１）のパイロット部分およびデータ部分ならびに第２の伝送１２５（２）のパイロット部分およびデータ部分をスペクトル的に分離するには、送信機１４５は、時間スロットおよび／または時間サブスロットを無線周波数チャネルおよび／またはサブチャネルに置き換えることができる。このスペクトル的分離は、第１および第２の伝送１２５（１、２）を周波数ドメイン内で分離できる。あるいは、送信機１４５は、周波数ドメイン内で第１および第２の伝送１２５（１、２）を分離するために時間スロットおよび／または時間サブスロットを無線周波数トーンおよび／またはサブトーンに置き換えることができる。そうではなく、送信機１４５は、アップリンク１２０上で、第１の伝送１２５（１）のパイロット部分およびデータ部分ならびに第２の伝送１２５（２）のパイロット部分およびデータ部分を空間的に分離することができる。
【００５９】
１つの実施形態では、拡散スペクトル・セルラ・システム１００は、各ユーザまたは企業が所望する速度およびカバレージで移動データを無線で伝達することができる。１つの実施形態によると、高速無線データ・ネットワークは、インターネット・プロトコル（ＩＰ）ネットワークがインターネットおよび公衆電話システム（ＰＳＴＮ）を含むように、１つ以上のデータ・ネットワークを含むことができる。第３世代（３Ｇ）移動体通信システム、すなわち、ユニバーサル移動体通信システム（ＵＭＴＳ）は、第３世代パートナーシップ・プロジェクト（３ＧＰＰ）仕様に従ったマルチメディア・サービスをサポートする。ＵＭＴＳは、広帯域符号分割多重接続（ＷＣＤＭＡ）とも呼ばれ、パケット交換ネットワークであるコア・ネットワーク（ＣＮ）、例えば、ＩＰベースのネットワークを含む。インターネットのアプリケーションと移動体のアプリケーションが併合されるため、ＵＭＴＳユーザは遠隔通信およびインターネット・リソースの両方にアクセスできる。ユーザにエンド・ツー・エンド・サービスを提供するために、ＵＭＴＳネットワークは、第３世代パートナーシップ・プロジェクト（３ＧＰＰ）規格に指定されたＵＭＴＳベアラ・サービス階層化アーキテクチャをデプロイすることができる。エンド・ツー・エンド・サービスの規定は複数のネットワークに渡って伝えられ、プロトコル層の対話によって実現される。
【００６０】
本発明の部分および対応する詳細な説明は、ソフトウェア、またはアルゴリズムおよびコンピュータ・メモリ内のデータ・ビットに対する動作の記号表現に関して示される。このような説明および表現は、当業者がその仕事の実体を他の当業者に効果的に伝える手段として使用されるものである。アルゴリズムとは、この用語が本明細書で使用された場合、一般に使用された場合と同様に、所望の結果に導く、自己矛盾のない一連のステップであると考えられる。これらのステップは、物理量の物理的操作を必要とするものである。通常、ただし必須ではないが、これらの量は、記憶、転送、組合せ、比較、およびそうでなければ操作が可能な光学的、電気的、または磁気的信号の形をとる。主として一般的な習慣が理由で、これらの信号をビット、値、要素、記号、文字、用語、数字などと呼ぶと便利であることが時々証明されている。
【００６１】
ただし、これらの用語および同様の用語はすべて、適切な物理量に関連付けられており、これらの量に適用される便利なラベルにすぎないことを記憶に留めておくべきである。他に特に断りがない限り、あるいは説明から明らかなように、「処理」、「コンピューティング」、「計算」、「判定」、「表示」などの用語は、コンピュータ・システムのレジスタおよびメモリ内の物理的、電子的量として表されるデータを操作し、コンピュータ・システムのメモリまたはレジスタまたは他のそのような情報記憶、送信、または表示装置内で同様に物理量として表される他のデータに変換する、コンピュータ・システムまたは同様の電子計算装置のアクションおよびプロセスを指す。
【００６２】
また、ソフトウェアが実現する本発明の態様は、普通は、何らかの形のプログラム記憶媒体上に符号化されるか、またはいずれかのタイプの送信媒体を介して実現されることにも留意されたい。プログラム記憶媒体は磁気式（例えば、フロッピー（登録商標）・ディスクまたはハード・ドライブ）または光学式（例えば、コンパクト・ディスク読取専用メモリ、すなわち「ＣＤ  ＲＯＭ」）であってよいし、読取専用またはランダム・アクセスであってよい。同様に、送信媒体は対のより線、同軸ケーブル、光ファイバ、または当業者に知られている他の適切な送信媒体であってよい。本発明は、所与の実装のこれらの態様によって限定されることはない。
【００６３】
上述の本発明を、添付の図を参照しながら説明する。種々の構造、システム、およびデバイスを、説明を目的としてのみ、さらに当業者に周知の詳細で本発明をあいまいにしないように、図面に概略的に示す。それでも、添付の図面は、本発明の例示的な例を挙げて説明するために記載されている。本明細書で使用される語および句は、当業者による、その語および句の解釈と矛盾しない意味を持つものと理解および解釈されたい。本明細書の用語または句の一貫した用法によって、その用語または句の特別な定義、すなわち、当業者によって解釈される通常の、習慣的な意味と異なる定義を意味することは意図されていない。用語または句が特別な意味、すなわち、当業者による解釈以外の意味を持つことが意図されている限り、そのような特別な定義が、明細書の中で、その用語または句の特別な定義を直接的に、明確に提供する定義らしい方法で明示的に記載される。
【００６４】
本発明は、本明細書の中では遠隔通信ネットワーク環境で有用として例示されているが、他の接続環境においても用途がある。例えば、上述のデバイスのうちの２つ以上を、ハード配線、無線周波数信号（例えば、８０２．１１（ａ）、８０２．１１（ｂ）、８０２．１１（ｇ）、Ｂｌｕｅｔｏｏｔｈなど）、赤外線結合、電話線とモデムなどのデバイス間接続によって結合することができる。本発明は、２人以上のユーザが相互に接続され、互いに通信できるすべての環境で用途があり得る。
【００６５】
当業者は、本明細書の種々の実施形態に示された種々のシステム層、ルーチン、またはモジュールは、実行可能な制御ユニットでよいことを理解するであろう。このような制御ユニットとしては、マイクロプロセッサ、マイクロコントローラ、デジタル信号プロセッサ、（１つ以上のマイクロプロセッサまたはコントローラが組み込まれた）プロセッサ・カードまたは他の制御またはコンピューティング・デバイス、および１つ以上のストレージ・デバイスに収納された実行可能な命令があり得る。このストレージ・デバイスとしては、データおよび命令を記憶するための１つ以上の機械可読記憶媒体があり得る。この記憶媒体としては、動的または静的ランダム・アクセス・メモリ（ＤＲＡＭまたはＳＲＡＭ）、消去可能なプログラマブル読取専用メモリ（ＥＰＲＯＭ）、電気的に消去可能なプログラマブル読取専用メモリ（ＥＥＰＲＯＭ）およびフラッシュ・メモリなどの半導体メモリ・デバイス、固定、フロッピー（登録商標）、取外し可能ディスクなどの磁気ディスク、テープなどの他の磁気媒体、コンパクト・ディスク（ＣＤ）またはデジタル・ビデオ・ディスク（ＤＶＤ）などの光媒体など様々な形のメモリがあり得る。様々なシステム内の種々のソフトウェア層、ルーチン、またはモジュールを構成する命令はそれぞれのストレージ・デバイスに記憶されていてよい。命令が個々の制御ユニットによって実行されると、対応するシステムが、プログラムされた動作を実行する。
【００６６】
本発明は、本明細書の教示の受益者である当業者には明らかな、異なるが均等の方法で修正および実施できるので、本明細書で開示された特定の実施形態は例示のためだけである。さらに、添付の特許請求の範囲に記載されたことを除いて、本明細書に示された構成または設計の詳細に限定されることは意図されていない。したがって、本明細書で開示された特定の実施形態は変更または修正することが可能であることは明らかであり、そのような変形は、本発明の範囲および精神から逸脱しないと考えられる。したがって、本明細書で求める保護は、添付の特許請求の範囲の記載のとおりである。
【図面の簡単な説明】
【００６７】
【図１】それぞれの基地局が１つ以上のセル・セクタに関連付けられた基地局のセット、および本発明の１つの実施形態の例に従って少なくとも２つの異なる伝送フォーマットに基づいて伝送を多重化するための複数のアクセス・モードを使用できる複数の移動局を含む拡散スペクトル・セルラ・システムを概略的に示す図である。
【図２】本発明の１つの実施形態の例に従って、複数のアクセス・モードに基づいて伝送を多重化するための、移動局からアップリンクを経て基地局セクタへの第１および第２の伝送用の２つの異なる伝送フォーマットを使用可能にするフレーム・フォーマットを概略的に示す図である。
【図３】本発明の１つの実施形態の例に従って、図１に示された拡散スペクトル・セルラ・システム内の複数の移動局に関連付けられたアップリンク上でデータを伝送する方法を実施する説明を、図２に示されたフレーム・フォーマットに基づいて様式化して示す図である。
【図４】本発明の１つの実施形態の例に従って、ダウンリンク上のコマンドに応答してアップリンク上で直交および／または非直交伝送フォーマットでデータを伝送する方法を実施する説明を様式化して示す図である。
【図５】本発明の１つの実施形態の例に従って非直交伝送または直交伝送を提供する伝送のパイロット部分およびデータ部分を多重化するための第１および第２のアクセス・モードの少なくとも１つを選択的に使用する方法を実施する説明を様式化して示す図である。
【図１】
2009515385.tif 000003
【図２】
2009515385.tif 000004
【図３】
2009515385.tif 000005
【図４】
2009515385.tif 000006
【図５】
2009515385.tif 000007
【国際調査報告】
2009515385.tif 000008
2009515385.tif 000009
2009515385.tif 000010